(57)【要約】【課題】携帯端末からの呼びでエレベータを利用することが確実と推定される場合のみ、呼び登録を可能とし、いたずら呼びの発生及びいたずら呼びによる運行効率の低下を防止したエレベータの制御システムを提供する。【解決手段】ネットワーク５００に接続され携帯端末４００からネットワークを介して送信される呼び登録要求指令によってもエレベータの呼び登録を実施して運転制御を行うエレベータの制御システムであって、携帯端末からの呼び登録要求指令とエレベータが設置されている建物の玄関ドアの開信号とを検出すると、呼び登録手段に呼び登録を行わせる呼び登録予約制御手段(１０)を備えた。【選択図】図１
2007302364.tif 000002
【特許請求の範囲】
【請求項１】
ネットワークに接続され、携帯端末からネットワークを介して送信される呼び登録要求指令によっても、エレベータの呼び登録を実施して運転制御を行うエレベータの制御システムであって、
携帯端末からの呼び登録要求指令とエレベータが設置されている建物の玄関ドアの開信号とを検出すると、呼び登録手段に呼び登録を行わせる呼び登録予約制御手段を備えたことを特徴とするエレベータの制御システム。
【請求項２】
前記呼び登録予約制御手段が、携帯端末からネットワークを介して送信される呼び登録要求指令を第１の所定時間の間記憶する指令記憶手段を含み、携帯端末からの呼び登録要求指令から前記第１の所定時間内に玄関ドアの開信号を検出すると、前記呼び登録手段に呼び登録をさせることを特微とする請求項１に記載のエレベータの制御システム。
【請求項３】
前記呼び登録手段が、玄関ドアの開信号が検出されると第２の所定時間の間記憶するドア開信号記憶手段を含み、前記第２の所定時間内はエレベータが玄関階へ到着後も玄関階に待機させる指令を出力することを特徴とする請求項１又は２に記載のエレベータの制御システム。
【請求項４】
ネットワークに接続され、携帯端末からネットワークを介して送信される呼び登録要求指令によっても、エレベータの呼び登録を実施して運転制御を可能に構成した、認証された利用者に制限されたエレベータの呼び登録を行うセキュリティ機能付のエレベータの制御システムであって、
携帯端末からの呼び登録要求指令とエレベータが設置されている建物の玄関ドアの開信号とを検出すると、呼び登録手段にエレベータの呼び登録制限を一時解除して呼び登録を行わせる呼び登録予約制御手段を備えたことを特徴とするエレベータの制御システム。
【請求項５】
前記呼び登録予約制御手段が、携帯端末からネットワークを介して送信される呼び登録要求指令を第１の所定時間の間記憶する指令記憶手段を含み、携帯端末からの呼び登録要求指令から前記第１の所定時間内に玄関ドアの開信号を検出すると、前記呼び登録手段にエレベータの呼び登録制限を一時解除させて呼び登録をさせることを特徴とする請求項４に記載のエレベータの制御システム。
【請求項６】
前記呼び登録手段が、玄関ドアの開信号が検出されると第２の所定時間の間記憶するドア開信号記憶手段を含み、前記第２の所定時間内は呼び登録制限を解除し、呼び登録を可能にすることを特徴とする請求項４又は５に記載のエレベータの制御システム。
【請求項７】
ネットワークに接続され、携帯端末からネットワークを介して送信される呼び登録要求指令によっても、エレベータの呼び登録を実施して運転制御を可能に構成した、認証された利用者に制限されたエレベータの呼び登録を行うセキュリティ機能付のエレベータの制御システムであって、
玄関ドアの開信号を検出すると第１の所定時間の間記憶するドア開信号記憶手段を含む呼び登録手段と、前記呼び登録手段に呼び登録をさせる呼び登録予約制御手段を備え、前記呼び登録手段は前記呼び登録予約制御手段で玄関ドアの開信号が検出されると前記第１の所定時間の間エレベータの呼び登録制限を解除しその間に前記呼び登録予約制御手段で携帯端末からの呼び登録要求指令を検出すると、エレベータの呼び登録を可能とすることを特徴とするエレベータの制御システム。
【請求項８】
玄関ドアの開信号を前記呼び登録予約制御手段に伝送する第１の伝送路及び第２の伝送路を設けたことを特徴とする請求項１から７までのいずれかい１項に記載のエレベータの制御システム。
【発明の詳細な説明】
【技術分野】
【０００１】
この発明は、携帯端末からインターネットを介して通信を行ってエレベータの制御を行うエレベータの制御システムに関する。
【背景技術】
【０００２】
携帯端末とエレベータ制御装置をインターネットを介して接続し、エレベータの運転制御を遠隔操作するエレベータの制御システムとして、エレベータ制御装置に対して現在の運転状況を問い合わせて、取得した現在の運転状況情報を携帯端末へ送り、携帯端末に現在のエレベータの運転状況を表示させるものがある(例えば特許文献１参照)。
【０００３】
【特許文献１】特開２００２−１１４４５６号公報
【発明の開示】
【発明が解決しようとする課題】
【０００４】
上記のような従来技術では、携帯端末からの遠隔操作により、携帯端末から入力された呼び登録データをエレベータ制御装置へ通信し呼び登録を行うことが可能であり、利用客には便利であるが、反面遠隔で操作可能であることから、エレベータを利用しない者によるいたずら呼び等により、エレベータの運行効率などを阻害するなどの問題があった。
【０００５】
この発明は上記の課題を解消するためになされたものであり、携帯端末からの呼びでエレベータを利用することが確実と推定される場合のみ、呼び登録を可能とし、いたずら呼びの発生及びいたずら呼びによる運行効率の低下を防止したエレベータの制御システムを提供することを目的とする。
【０００６】
また、セキュリティ機能付エレベータ(マンションなどの居住者と認証された場合に限りエレベータの呼び登録が可能となるようにしたエレベータ)との併設時は、認証者が携帯端末の誤操作や、携帯端末からのいたずら呼び等によりエレベータを利用しない場合に登録制限が一時的に解除されると、乗場付近にいる不審者がエレベータを利用できてしまうので、このようなセキュリティ機能の低下(登録制限が有効な階床が、エレベータを使用しないのに一時的に解除されてしまう)を防止する。そのために、エントランスなどに設けられている玄関ドアの開状態をエレベータ制御装置等に入力し、玄関ドアの開状態に応じて携帯端末からの呼び登録実施可否制御を行う。
【課題を解決するための手段】
【０００７】
この発明は、ネットワークに接続され、携帯端末からネットワークを介して送信される呼び登録要求指令によっても、エレベータの呼び登録を実施して運転制御を行うエレベータの制御システムであって、携帯端末からの呼び登録要求指令とエレベータが設置されている建物の玄関ドアの開信号とを検出すると、呼び登録手段に呼び登録を行わせる呼び登録予約制御手段を備えたことを特徴とするエレベータの制御システムにある。
【発明の効果】
【０００８】
この発明では、携帯端末からの呼びでエレベータを利用することが確実と推定される場合のみ、呼び登録を可能とし、いたずら呼びの発生及びいたずら呼びによる運行効率の低下を防止できる。
【発明を実施するための最良の形態】
【０００９】
実施の形態１．
図１はこの発明の一実施の形態によるエレベータの制御システムの構成を示す図であり、ここでは群管理を行うシステムが示されている。図１において、群管理盤１００は群管理制御装置１、この発明において必要な玄関ドア開信号を入力するためのシリアル／パラレル変換装置１２が実装されている。さらに群管理制御装置１は、群管理制御部１０、伝送インターフェース１１から構成されており、群管理制御装置１とシリアル／パラレル変換装置１２は、伝送インターフェース１１を介して第１の伝送路Ｌ１及び第２の伝送路Ｌ２と結合されている。
【００１０】
また各エレベータ制御盤２００は、エレベータ制御装置２、群管理盤１００内に実装されている群管理制御装置１及びシリアル／パラレル変換装置１２とエレベータ制御装置２間の通信制御を中継する伝送インターフェース３１が実装されている。さらにエレベータ制御装置２は、エレベータ制御部２０、伝送インターフェース２１から構成されており、かご機器(図示せず)とはかご伝送線Ｌ４を介して伝送インターフェース２１と結合されている。伝送インターフェース３１は、第１の伝送路Ｌ１及び第３の伝送路Ｌ３を介して群管理制御装置１及びシリアル／パラレル変換装置１２と結合されている。伝送インターフェース３１とエレベータ制御装置２は、伝送線Ｌ６を介して結合されており、乗場機器(図示せず)とは乗場伝送線Ｌ５を介して伝送インターフェース３１と結合されている。
【００１１】
また、呼びを登録するための携帯端末４００は、ネットワークである例えばインターネット５００により、又はさらにインターネットサービスプロバイダサーバ(ＩＳＰサーバ)６００を介してエレベータ用インターネットサーバ７００に接続され、エレベータ用インターネットサーバ７００が群管理制御装置１内の群管理制御部１０と接続されている。
【００１２】
図２は、群管理制御部１０の構成を示すブロック図である。群管理制御部１０は、各種の演算処理を行う制御手段としての中央処理装置(以下、ＣＰＵ)１０ａと、ＣＰＵ１０ａの制御プログラムを格納するＲＯＭ１０ｄと、伝送インターフェース１１とデータのやり取りをする２ポートＲＡＭ１０ｃと、所定時間記憶する時限付き記憶手段等を演算処理することで構成するＣＰＵ１０ａの演算データ等を格納するＲＡＭ１０ｂと、エレベータ用インターネットサーバ７００と通信を行うシリアルインターフェース(１)１０ｅを含む。
【００１３】
図３は、伝送インターフェース１１の構成を示すブロック図である。伝送インターフェース１１は、各種の演算処理を行う制御手段としての中央処理装置(ＣＰＵ)１１ａと、ＣＰＵ１１ａの制御プログラムを格納するＲＯＭ１１ｄと、群管理制御部１０とデータのやり取りをする２ポートＲＡＭ１１ｃと、ＣＰＵ１１ａの演算データなどを格納するＲＡＭ１１ｂと、第１の伝送路Ｌ１、第２の伝送路Ｌ２、第３の伝送路Ｌ３を介してそれぞれ通信を行うシリアルインターフェース(１)(２)(３)１１ｅ，１１ｆ，１１ｇを含む。
【００１４】
図４は、伝送インターフェース３１の構成を示すブロック図である。図３と対応する構成については同一のアルファベットを付している。伝送インターフェース３１は、各種の演算処理を行う制御手段としての中央処理装置(ＣＰＵ)３１ａと、ＣＰＵ３１ａの制御プログラムを格納するＲＯＭ３１ｄと、ＣＰＵ３１ａの演算データなどを格納するＲＡＭ３１ｂと、第１の伝送路Ｌ１、伝送線Ｌ６、第３の伝送路Ｌ３、乗場伝送線Ｌ５を介してそれぞれ通信を行うシリアルインターフェース(１)(２)(３)(４)３１ｅ，３１ｈ，１１ｇ，１１ｉを含む。
【００１５】
図５は、シリアル／パラレル変換装置１２の構成を示すブロック図である。図３と対応する構成については同一のアルファベットを付している。シリアル／パラレル変換装置１２は、各種の演算処理を行う制御手段としての中央処理装置(ＣＰＵ)１２ａと、ＣＰＵ１２ａの制御プログラムを格納するＲＯＭ１２ｄと、ＣＰＵ１２ａの演算データなどを格納するＲＡＭ１２ｂと、第１の伝送路Ｌ１、第２の伝送路Ｌ２を介してそれぞれ通信を行うシリアルインターフェース(１)(２)１２ｅ，１２ｆ、この発明ではエントランスなどの玄関ドアや他のドア１〜Ｎの開信号等でる外部機器(図示省略)との入出力を行う入力ポート１２ｊ、出力ポート１２ｋを含む。
【００１６】
図６は群管理制御部１０のこの発明に関する部分の概略的な機能ブロック図である。図６おいて、エレベータ用インターネットサーバ７００からの携帯端末４００からの呼び登録要求(指令)が、呼び登録予約制御手段８０に通知される。呼び登録予約制御手段８０は、所定時間検出手段８１(第１の所定時間用)、呼び登録予約・解除手段８２及び呼び登録可否判断手段８３で構成されており、エレベータ用インターネットサーバ７００からの携帯端末４００からの呼び登録要求は、所定時間検出手段８１と呼び登録予約・解除手段８２に入力される。所定時間検出手段８１は、当該入力を受けて所定時間をカウントし、カウント満了信号を呼び登録予約・解除手段８２に出力する。
【００１７】
一方、呼び登録予約・解除手段８２は、所定時間検出手段８１からのカウント満了信号を入力するまで携帯端末からの呼び登録要求を呼び登録可否判断手段８３に出力する。
次に、呼び登録可否判断手段８３は、玄関ドア開検出手段８５からの玄関ドア開信号と呼び登録予約・解除手段８２からの携帯端末からの呼び登録要求に基づき、呼び登録可信号を呼び登録手段８４に出力する。そして、呼び登録手段８４は、呼び登録可信号に従い実際の呼び登録を行う。ここで、呼び登録予約制御手段８０は、エレベータ用インターネットサーバ７００内に実装されても実現できる。
【００１８】
なお、所定時間検出手段８１と呼び登録予約・解除手段８２が指令記憶手段を構成し、後述する呼び登録手段８４の所定時間検出手段８４ａと呼び登録予約・解除手段８２がドア開信号記憶手段を構成する。呼び登録要求指令及びドア開信号は呼び登録予約・解除手段８２で保持される。
【００１９】
図７はこの発明の一実施の形態によるエレベータの制御システムの動作の一例を示す動作フローチャートである。図７は図６の構成を有する群管理制御部１０を備えた場合のものである。尚、図７のプログラムは群管理制御部１０のＲＯＭ１０ｄ等に格納されている。
【００２０】
図７に従って動作を説明すると、ステップ５１では、エレベータ用インターネットサーバ７００からの携帯端末４００からの呼び登録要求(指令)があるかどうか判定する。ステップ５２では、携帯端末からの呼び登録要求の有効期間(第１の所定時間)を設定するためのタイマー１をカウント開始する。ステップ５３では、エントランスなどに設置された玄関ドアが「開」であることを開信号から検出したかどうか判定し、ドア開を検出した場合はステップ５４に進み、携帯端末からの呼び登録要求にしたがって、呼びを自動登録する。そして、呼び登録要求の有効期間を設定のためにカウント開始していたタイマー１をステップ５５でリセットする。
【００２１】
ステップ５３でドア開を検出していない場合は、ステップ５６に進み、エレベータ用インターネットサーバ７００からの携帯端末からの呼び登録要求の予約登録のみを行う。ステップ５７では、ステップ５２で携帯端末からの呼び登録要求の有効期間を設定するためにカウント開始したタイマー１が満了するまで、ステップ５３を判定する。ステップ５７でタイムアップ(満了)と判定された場合は、ステップ５８に進み、ステップ５６の携帯端末からの呼び登録要求の予約登録を解除する。そして、ステップ５５で呼び登録要求の有効期間の設定のためにカウント開始していたタイマー１をリセットする。
【００２２】
またさらに、図６の呼び登録手段８４に所定時間検出手段８４ａを設け、ステップＳ５４で呼びを自動登録した後、ステップ５０１に進み、エレベータを玄関階に戸開きで待機させる有効期間(第２の所定時間)を設定するためのタイマー２をカウント開始する。そして、ステップ５０１と５０３によるタイマー２のカウントがタイムアップ(満了)するまでの間、制御盤２００側から伝送インターフェース１１を介して得られるエレベータの状態信号等に従って、ステップ５０２でかごが玄関階に到着したことを検出すると、ステップ５０４でエレベータにドアを開いて待機させる指令を発生させてかごを玄関階に戸開状態で待機させ、ステップ５０３でタイマー２のカウントがタイムアップ(満了)した場合は、ステップ５０５で戸閉して、タイマー２をステップ５０６でリセットしてドア開信号を解除する。
【００２３】
なお、ステップ５１〜５２，５５〜５８は呼び登録予約制御手段８０で行われ、ステップ５３は呼び登録予約制御手段８０と玄関ドア開検出手段８５で行われ、ステップ５４、さらにはステップ５０１〜５０６は呼び登録手段８４で行われる。
【００２４】
実施の形態２．
次に、マンションなどの居住者と認証された場合に限りエレベータの呼び登録が可能となるようにしたセキュリティ機能付エレベータエレベータとの併設時の実施の形態について説明する。
【００２５】
図８は、この発明によるセキュリティ機能付のエレベータの制御システムにおける図６の呼び登録手段８４のこの発明に関する部分の概略的な機能ブロック図である。呼び登録手段８４は、所定時間検出手段９１、呼び登録制限の解除手段９３、呼びの自動登録手段９２、呼びの手動登録手段９４から構成されている。
【００２６】
なお、呼びの自動登録とは、携帯端末４００からの呼びを自動的に登録するもの、呼びの手動登録とは、例えば乗場伝送線Ｌ５やかご伝送線Ｌ４から伝送インターフェース３１、第３の伝送路Ｌ３、伝送インターフェース１１を介して群管理制御部１０に送られてくる乗場呼釦やかご呼釦(図示省略)等による手動の乗場呼びやかご呼びに従って登録を行うものである。
【００２７】
呼び登録可否判断手段８３からの呼び登録可信号は、所定時間検出手段９１、呼び登録制限の解除手段９３の双方に入力され、所定時間検出手段９１は入力を受けてタイマーカウント(後述する図９ではタイマー２、図１０ではタイマー３に相当)を開始する。呼び登録制限の解除手段９３は、入力を受けて呼び登録制限の解除を行う。呼びの自動登録手段９２、呼びの手動登録手段９４には、所定時間検出手段９１からのカウント満了信号及び呼び登録制限の解除手段９３からの解除信号が入力される。呼びの自動登録手段９２は、呼びの自動登録制御、呼びの手動登録手段９４は呼びの手動登録制御を行う。
【００２８】
なお、所定時間検出手段８１と呼び登録予約・解除手段８２が指令記憶手段を構成し、呼び登録手段８４の所定時間検出手段９１と呼び登録予約・解除手段８２がドア開信号記憶手段を構成する。呼び登録要求指令及びドア開信号は呼び登録予約・解除手段８２で保持される。
【００２９】
図９はこの実施の形態によるエレベータの制御システムの動作の一例を示す動作フローチャートである。図９は図６の構成を有する群管理制御部１０及び図８の構成を有する呼び登録可否判断手段８３を備えた場合のものである。尚、図９のプログラムは群管理制御部１０のＲＯＭ１０ｄ等に格納されている。
【００３０】
図９において、ステップ６１では、エレベータ用インターネットサーバ７００からの携帯端末４００からの呼び登録要求があるかどうか判定する。ステップ６２では、携帯端末からの呼び登録要求の有効期間(第１の所定時間)を設定するためのタイマー１をカウント開始する。ステップ６３では、エントランスなどに設置された玄関ドアの「開」を検出したかどうか判定し、ドア開を検出した場合はステップ６４に進み、呼び登録制限階床の一次解除を行う。ステップ６５では、呼びの自動登録か手動登録(どちらの登録パターンかは、例えばＲＯＭ１０ｄにパラメータとして予め設定されるものとする)か判定し、自動登録の場合はステップ７６で呼びを自動登録する。
【００３１】
手動登録の場合は、ステップ６６に進み、呼びの手動登録可能の有効期間(第２の所定時間)を設定するためのタイマー２をカウント開始する。そして、ステップ６７、６８でタイマー２カウント満了まで手動登録を可能とする。ステップ６８でタイマー２のカウントがタイムアップ(満了)した場合は、ステップ６９で携帯端末からの呼びの予約を解除し、ステップ６６で呼びの手動登録可能の有効期間を設定のためにカウント開始していたタイマー２をステップ７０でリセットする。ステップ７１ではステップ６４で行った呼び登録制限階床の一次解除を無効とし、呼び登録制限階床を有効とする。
【００３２】
ステップ６３でドア開を検出していない場合は、ステップ７３に進み、エレベータ用インターネットサーバ７００からの携帯端末からの呼び登録要求の予約登録のみを行う。ステップ７４では、ステップ６２で携帯端末からの呼び登録要求の有効期間を設定するためにカウント開始したタイマー１がタイムアップ(満了)するまで、ステップ６３を判定する。ステップ７４で満了と判定された場合は、ステップ７５に進み、ステップ７３の携帯端末からの呼び登録要求の予約登録を解除する。そして、ステップ７２で呼び登録要求の有効期間を設定のためにカウント開始していたタイマー１をリセットする。
【００３３】
なお、ステップ６１〜６２，７２〜７５は呼び登録予約制御手段８０で行われ、ステップ６３は呼び登録予約制御手段８０と玄関ドア開検出手段８５で行われ、ステップ６４〜７１，７６は呼び登録手段８４で行われる。
【００３４】
実施の形態３．
次に、マンションなどの居住者と認証された場合に限りエレベータの呼び登録が可能となるようにしたセキュリティ機能付エレベータエレベータとの併設時の別の実施の形態について説明する。図１０はこの実施の形態によるエレベータの制御システムの動作の一例を示す動作フローチャートである。図１０は図６，図８に示す上述の構成を有する群管理制御部１０を備えた場合のものである。尚、図１０のプログラムは群管理制御部１０のＲＯＭ１０ｄ等に格納されている。
【００３５】
図１０において、ステップ７１０では、エントランスなどに設置された玄関ドアが「開」を検出したかどうか判定し、ドア開を検出した場合はステップ７２０に進み、呼び登録制限階床の一次解除を行う。ステップ７３０では、携帯端末からの呼びの登録可能(自動／手動)の有効期間を設定するためのタイマー３をカウント開始する。そして、ステップ７４０で携帯端末からの呼びの有無を判断し、呼びがあるとステップ７４５へ進み呼びを登録し、呼びがない場合はステップ７５０へ進む。
【００３６】
ステップ７５０でタイマー３のカウントがタイムアップ(満了)した場合は、ステップ７６０で携帯端末からの呼びの登録(自動／手動)を不可とする。ステップ７７０では、携帯端末からの呼びの登録可能(自動／手動)の有効期間を設定のためにカウント開始していたタイマー３をリセットする。そしてステップ７８０ではステップ７２０で行った呼び登録制限階床の一次解除を無効とし、呼び登録制限階床を有効とする。
【００３７】
ステップ７１０でドア開を検出していない場合は、ステップ７９０に進み、エレベータ用インターネットサーバ７００からの携帯端末からの呼び登録要求の予約登録を禁止とする。すなわち玄関ドアからの開信号がない限り、呼び登録要求の予約登録を禁止している。
【００３８】
なお、ステップ７１０は呼び登録予約制御手段８０と玄関ドア開検出手段８５で行われ、７９０は呼び登録予約制御手段８０で行われ、ステップ７２０〜７８０は呼び登録手段８４で行われる。
【００３９】
また図１０において、上述の実施の形態の図９のステップ６４以降に示されるのと同様に、ステップ７１０でドア開を検出した場合に呼び登録制限階床の一次解除を行い、呼びの自動登録か手動登録(どちらの登録パターンかは、例えばＲＯＭ１０ｄにパラメータとして予め設定されるものとする)か判定し、自動登録の場合は呼びを自動登録し、手動登録の場合にはタイマー３で携帯端末からの呼びの登録可能の有効期間を設定し、タイマー３のカウントがタイムアップ(満了)するまでに手動登録があれば、これに基づく呼び登録を行うようにしてもよい。
【００４０】
さらに、図１において、玄関ドアの開信号は、通常、第１の伝送路Ｌ１を介してシリアル／パラレル変換装置１２→第１の伝送路Ｌ１→伝送インターフェース１１→群管理制御部１０の経路で入力されるが、例えば伝送インターフェース１１又は群管理制御部１０の玄関ドア開検出手段８５で第１の伝送路Ｌ１の通信が正常に行われていないと判断された場合は、玄関ドアの開信号の入力先を、第１の伝送路Ｌ１から第２の伝送路Ｌ２に切り換える。すなわち、シリアル／パラレル変換装置１２→第２の伝送路Ｌ２→伝送インターフェース１１→群管理制御部１０の経路で入力される。
【００４１】
このように、玄関ドアの開信号を入力するための通信インフラを冗長化(複数系統とする)させ、玄関ドアの開信号の入力経路の高い信頼性を確保する。
【００４２】
なお、上記各実施の形態では、群管理盤１００と複数の制御盤２００を備えたシステムについて説明したが、この発明はこれに限定されることなく、例えば１つの制御盤２００からなるシステムにおいても、エレベータ制御装置２のエレベータ制御部２０と伝送インターフェース２１を上述の群管理制御装置１の群管理制御部１０と伝送インターフェース１１に対応する構成とし、インターフェース２１にシリアル／パラレル変換装置１２から第１及び第２の伝送路Ｌ１，Ｌ２を介して玄関ドアの開信号等を送り、さらにエレベータ制御部２０が伝送線Ｌ６を介して伝送インターフェース３１から直接信号を受けるように構成することで、相当する機能を有するシステムか構築でき、同様な効果を奏する。
【００４３】
以上のように、この発明によれば、携帯端末からの呼びでエレベータを利用することが確実と推定される場合のみ、呼び登録を可能とし、エレベータを使用しないのに、携帯からのいたずら呼び発生及びいたずら呼びによる運行効率低下を防止できる。さらに、玄関ドアから入った利用者が、玄関階へ呼び寄せたエレベータかごに乗り遅れたり、他の人に利用されてしまわないように、玄関階にかごを所定時間待機させることにより、利用者の利便性を向上できる。
【００４４】
また、セキュリティ機能付エレベータとの併設時は、エレベータを使用しないのに、携帯端末からのいたずら呼び発生によるセキュリティ性低下(登録制限が有効な階床が、エレベータを使用しないのに一時的に登録制限が解除されてしまう)を防止する。さらに、利用者が玄関ドアから入った後、所定時間の間、登録制限を一時的に解除することで、自動呼び登録又は手動による呼び登録を可能とすることによって、利用者の利便性と建物のセキュリティ性を向上できる。
【００４５】
また、セキュリティ機能付エレベータとの併設時で、玄関ドアを入ってから所定時間内に限り携帯端末から呼び登録できるようにして、事前に呼び登録を忘れた利用者にも対応可能として利便性を向上することもできる。
【００４６】
さらに、玄関ドアの開信号を入力するための通信インフラに２系統に冗長化させたため、上述の玄関ドアの開信号の入力経路の高い信頼性を確保できる。
【図面の簡単な説明】
【００４７】
【図１】この発明の一実施の形態によるエレベータの制御システムの構成を示す図である。
【図２】図１の群管理制御部１０の構成を示すブロック図である。
【図３】図１の伝送インターフェース１１の構成を示すブロック図である。
【図４】図１の伝送インターフェース３１の構成を示すブロック図である。
【図５】図１のシリアル／パラレル変換装置の構成を示すブロック図である。
【図６】図１の群管理制御部１０のこの発明に関する部分の概略的な機能ブロック図である。
【図７】この発明の一実施の形態によるエレベータの制御システムの動作の一例を示す動作フローチャートである。
【図８】この発明によるセキュリティ機能付のエレベータの制御システムにおける図６の呼び登録手段のこの発明に関する部分の概略的な機能ブロック図である。
【図９】この発明の別の実施の形態によるセキュリティ機能付のエレベータの制御システムの動作の一例を示す動作フローチャートである。
【図１０】この発明のさらに別の実施の形態によるセキュリティ機能付のエレベータの制御システムの動作の一例を示す動作フローチャートである。
【符号の説明】
【００４８】
１  群管理制御装置、２  エレベータ制御装置、１０  群管理制御部、１０ａ，１１ａ，１２ａ，３１ａ  ＣＰＵ、１０ｂ，１１ｂ，１２ｂ，３１ｂ  ＲＡＭ、１０ｃ，１１ｃ  ２ポートＲＡＭ、１０ｄ，１１ｄ，１２ｄ，３１ｄ  ＲＯＭ、１０ｅ，１１ｅ，１１ｆ，１１ｇ，１２ｅ，１２ｆ，３１ｅ，３１ｇ，３１ｈ，３１ｉ  シリアルインターフェース、１１，２１，３１  伝送インターフェース、１２  シリアル／パラレル変換装置、１２ｊ  入力ポート、１２ｋ  出力ポート、２０  エレベータ制御部、８０  呼び登録予約制御手段、８１  所定時間検出手段、８２  呼び登録予約・解除手段、８３  呼び登録可否判断手段、８４  呼び登録手段、８４ａ  所定時間検出手段、８５  玄関ドア開検出手段、９１  所定時間検出手段、９２  呼びの自動登録手段、９３  呼び登録制限の解除手段、９４  呼びの手動登録手段、１００  群管理盤、２００  制御盤、４００  携帯端末、５００  インターネット(ネットワーク)、６００  インターネットサービスプロバイダサーバ、７００  エレベータ用インターネットサーバ、Ｌ２  第２の伝送路、Ｌ３  第３の伝送路、Ｌ４  かご伝送線、Ｌ５  乗場伝送線、Ｌ６  伝送線。
【図１】
2007302364.tif 000003
【図２】
2007302364.tif 000004
【図３】
2007302364.tif 000005
【図４】
2007302364.tif 000006
【図５】
2007302364.tif 000007
【図６】
2007302364.tif 000008
【図７】
2007302364.tif 000009
【図８】
2007302364.tif 000010
【図９】
2007302364.tif 000011
【図１０】
2007302364.tif 000012